(57)【要約】【課題】可動体と固定体とを繋ぐバネ部材のバネ特性等がばらついても、使用される部品の在庫管理を簡素化しつつ、容易な調整で始動電流のばらつきを抑制することが可能なレンズ駆動装置を提供する。【解決手段】レンズ駆動装置１は、レンズを保持する可動体と、可動体を保持する固定体と、可動体に固定される駆動用コイル２０と、固定体に固定される駆動用磁石２１と、可動体と固定体とを繋ぐバネ部材５と、駆動用磁石２１との間に生じる磁気的吸引力によって光軸方向における基準位置に向かって可動体を付勢する磁性部材１３とを備えている。可動体の被写体側には、磁性部材１３を搭載するための搭載面と、搭載面の内周側から被写体側に向かって立ち上る内壁部８ｄと、搭載面の外周側から被写体側に向かって立ち上る複数の外壁部８ｆとが形成されている。レンズの周方向において、複数の外壁部８ｆの間には、隙間が形成されている。【選択図】図３
2014010281.tif 000002
【特許請求の範囲】
【請求項１】
レンズを保持し前記レンズの光軸方向へ移動可能な可動体と、前記可動体を前記光軸方向へ移動可能に保持する固定体と、前記可動体に固定される駆動用コイルと、前記駆動用コイルに対向するように前記固定体に固定される駆動用磁石と、前記可動体と前記固定体とを繋ぐバネ部材と、前記駆動用磁石よりも被写体側で前記可動体に固定され前記駆動用磁石との間に生じる磁気的吸引力によって前記光軸方向における前記可動体の基準位置に向かって前記可動体を付勢する環状の磁性部材とを備え、
前記可動体の被写体側には、前記磁性部材を搭載するための搭載面が前記レンズを囲むように形成されるとともに、前記搭載面の内周側から被写体側に向かって立ち上る内壁部と、前記搭載面の外周側から被写体側に向かって立ち上る複数の外壁部とが形成され、
前記レンズの周方向において、複数の前記外壁部の間に隙間が形成されていることを特徴とするレンズ駆動装置。
【請求項２】
前記光軸方向から見たときの形状が略矩形状となるように形成され、
前記駆動用磁石は、略平板状に形成されるとともに、前記光軸方向から見たときの前記レンズ駆動装置の四辺のそれぞれに沿うように配置され、
前記可動体には、４個の前記外壁部が形成され、
４個の前記外壁部は、前記レンズ駆動装置の四隅のそれぞれに配置されていることを特徴とする請求項１記載のレンズ駆動装置。
【請求項３】
前記バネ部材は、前記可動体の被写体側に固定される可動体固定部と、前記固定体に固定される固定体固定部と、前記可動体固定部と前記固定体固定部とを繋ぐ腕部とを備え、
前記外壁部の被写体側の端面は、前記可動体固定部が固定されるバネ固定面となっていることを特徴とする請求項１または２記載のレンズ駆動装置。
【請求項４】
前記光軸方向における前記内壁部および前記外壁部の高さは、前記磁性部材の厚みよりも高くなっていることを特徴とする請求項１から３のいずれかに記載のレンズ駆動装置。
【請求項５】
請求項１から４のいずれかに記載のレンズ駆動装置の調整方法であって、
前記内壁部と前記外壁部との間であって、かつ、前記搭載面と前記磁性部材との間に接着剤を塗布するとともに、前記接着剤の厚みによって前記光軸方向における前記磁性部材の位置を調整することを特徴とするレンズ駆動装置の調整方法。
【請求項６】
請求項１から４のいずれかに記載のレンズ駆動装置の調整方法であって、
前記搭載面と前記磁性部材との間に非磁性材料からなる平板状の調整部材を配置するとともに、前記調整部材の枚数によって前記光軸方向における前記磁性部材の位置を調整することを特徴とするレンズ駆動装置の調整方法。
【発明の詳細な説明】
【技術分野】
【０００１】
本発明は、携帯電話等で使用される比較的小型のカメラに搭載されるレンズ駆動装置に関する。また、本発明は、かかるレンズ駆動装置の調整方法に関する。
【背景技術】
【０００２】
従来、携帯電話等に搭載されるカメラの撮影用レンズを駆動するレンズ駆動装置として、レンズを保持して光軸方向へ移動する移動体と、移動体を光軸方向へ移動可能に保持する支持体と、移動体を光軸方向へ駆動するための駆動用コイルおよび駆動用磁石とを備えるレンズ駆動装置が知られている（たとえば、特許文献１および２参照）。特許文献１および２に記載のレンズ駆動装置では、移動体に駆動用コイルが取り付けられ、支持体に駆動用磁石が取り付けられている。また、このレンズ駆動装置では、光軸方向における移動体の両端側に配置される板バネによって、移動体と支持体とが繋がれている。
【０００３】
また、特許文献１および２に記載のレンズ駆動装置では、光軸方向における移動体の両端側に配置される板バネのうち、被写体側に配置される板バネは、移動体に固定される円環状の第１固定部と、支持体に固定される第２固定部と、第１固定部と第２固定部とを繋ぐ複数の腕部とを備えている。この板バネは、その腕部が撓んだ状態で、移動体および支持体に固定されており、この板バネの付勢力によって、移動体は、光軸方向における移動体の基準位置に向かって付勢されている。
【０００４】
特許文献１に記載のレンズ駆動装置では、板バネの第１固定部と、移動体の、第１固定部が固定される部分との間に円環状の磁性部材が配置されている。このレンズ駆動装置では、この磁性部材と、支持体に固定される駆動用磁石との間に、磁気的な吸引力が作用しており、被写体側に配置される板バネの付勢力に加え、この磁気的吸引力によっても、光軸方向における移動体の基準位置に向かって移動体が付勢されている。
【０００５】
また、特許文献２に記載のレンズ駆動装置では、移動体の被写体側に円形の磁性片保持穴が形成されている。この磁性片保持穴は、光軸方向から見たときの形状が略正方形状となる移動体の四隅に形成されており、４個の磁性片保持穴のそれぞれには、球状に形成される磁性片が収容されている。このレンズ駆動装置では、この磁性片と、支持体に固定される駆動用磁石との間に、磁気的な吸引力が作用しており、被写体側に配置される板バネの付勢力に加え、この磁気的吸引力によっても、光軸方向における移動体の基準位置に向かって移動体が付勢されている。なお、このレンズ駆動装置では、磁性片保持穴に収容される磁性片の数を変えたり、磁性片保持穴に収容される磁性片の大きさを変えたりして、磁性片と駆動用磁石との間の磁気的吸引力を調整することで、基準位置に向かう方向への移動体の付勢力を調整することが可能になっており、その結果、基準位置にある移動体を始動させるのに必要な駆動用コイルの電流（始動電流）を調整することが可能になっている。
【先行技術文献】
【特許文献】
【０００６】
【特許文献１】特開２００８−２７５９５２号公報
【特許文献２】特開２００８−１１６９０１号公報
【発明の概要】
【発明が解決しようとする課題】
【０００７】
上述のように、特許文献１および２に記載のレンズ駆動装置では、被写体側に配置される板バネの付勢力と、磁性部材または磁性片と駆動用磁石との間の磁気的吸引力とによって、光軸方向における移動体の基準位置に向かって移動体が付勢されている。そのため、このレンズ駆動装置では、被写体側に配置される板バネのバネ特性や駆動用磁石の磁力等がばらついて、基準位置に向かう方向への移動体の付勢力がばらつくと、始動電流がばらついて、レンズ駆動装置の特性がばらつく。
【０００８】
この場合、特許文献１に記載のレンズ駆動装置では、磁性部材の厚みや幅を調整することで、磁性部材と駆動用磁石との間の磁気的吸引力を調整することが可能であるため、基準位置に向かう方向への移動体の付勢力のばらつきを抑制して、始動電流のばらつきを抑制することが可能である。しかしながら、この場合には、厚みや幅の異なる複数種類の磁性部材を準備する必要があるため、部品の管理が煩雑になり、また、複数種類の磁性部材のうちの何種類かの磁性部材が使用されずに在庫として残るおそれもある。
【０００９】
一方、特許文献２に記載のレンズ駆動装置では、被写体側に配置される板バネのバネ特性等がばらついて、基準位置に向かう方向への移動体の付勢力がばらついた場合に、磁性片保持穴に収容される磁性片の数や大きさを変えることで、基準位置に向かう方向への移動体の付勢力のばらつきを抑制して、始動電流のばらつきを抑制することが可能である。しかしながら、このレンズ駆動装置でも、大きさの異なる複数種類の磁性片を準備する必要があるため、部品の管理が煩雑になり、また、複数種類の磁性片のうちの何種類かの磁性片が使用されずに在庫として残るおそれもある。
【００１０】
ここで、特許文献２に記載のレンズ駆動装置では、大きさの異なる複数種類の磁性片を準備しなくても、磁性片保持穴に収容される磁性片の位置を調整して、磁性片と駆動用磁石との距離を調整することで、磁性片と駆動用磁石との間の磁気的吸引力を調整して、基準位置に向かう方向への移動体の付勢力のばらつきを抑制することが可能であり、その結果、始動電流のばらつきを抑制することが可能になる。しかしながら、このレンズ駆動装置では、移動体の四隅のそれぞれに配置される磁性片の位置を調整する必要があるため、その調整作業が煩雑になる。
【００１１】
そこで、本発明の課題は、可動体と固定体とを繋ぐバネ部材のバネ特性等がばらついても、使用される部品の在庫管理を簡素化しつつ、容易な調整で始動電流のばらつきを抑制することが可能なレンズ駆動装置を提供することにある。また、本発明の課題は、かかるレンズ駆動装置の調整方法を提供することにある。
【課題を解決するための手段】
【００１２】
上記の課題を解決するため、本発明のレンズ駆動装置は、レンズを保持しレンズの光軸方向へ移動可能な可動体と、可動体を光軸方向へ移動可能に保持する固定体と、可動体に固定される駆動用コイルと、駆動用コイルに対向するように固定体に固定される駆動用磁石と、可動体と固定体とを繋ぐバネ部材と、駆動用磁石よりも被写体側で可動体に固定され駆動用磁石との間に生じる磁気的吸引力によって光軸方向における可動体の基準位置に向かって可動体を付勢する環状の磁性部材とを備え、可動体の被写体側には、磁性部材を搭載するための搭載面がレンズを囲むように形成されるとともに、搭載面の内周側から被写体側に向かって立ち上る内壁部と、搭載面の外周側から被写体側に向かって立ち上る複数の外壁部とが形成され、レンズの周方向において、複数の外壁部の間に隙間が形成されていることを特徴とする。
【００１３】
本発明のレンズ駆動装置は、駆動用磁石との間に生じる磁気的吸引力によって光軸方向における可動体の基準位置に向かって可動体を付勢する環状の磁性部材を備えている。また、本発明では、可動体の被写体側に、磁性部材を搭載するための搭載面がレンズを囲むように形成されるとともに、搭載面の内周側から被写体側に向かって立ち上る内壁部と、搭載面の外周側から被写体側に向かって立ち上る複数の外壁部とが形成されている。そのため、本発明では、バネ部材のバネ特性等がばらついても、内壁部と外壁部との間で、光軸方向における磁性部材の位置を調整して、磁性部材と駆動用磁石との距離を調整することで、磁性部材と駆動用磁石との間の磁気的吸引力を調整して、基準位置に向かう方向への可動体の付勢力のばらつきを抑制することが可能になる。したがって、本発明では、厚みや幅の異なる複数種類の磁性部材を準備しなくても、始動電流のばらつきを抑制することが可能になる。すなわち、本発明では、レンズ駆動装置に使用される部品の在庫管理を簡素化しつつ、始動電流のばらつきを抑制することが可能になる。
【００１４】
また、本発明では、環状に形成される１個の磁性部材の光軸方向における位置を調整すれば良いため、磁性部材の位置調整が容易になり、その結果、始動電流のばらつきの調整が容易になる。すなわち、本発明では、バネ部材のバネ特性等がばらついても、容易な調整で始動電流のばらつきを抑制することが可能になる。また、本発明では、レンズの周方向において複数の外壁部の間に隙間が形成されているため、隙間を利用してピンセット等で環状の磁性部材を摘みながら磁性部材の位置調整を行うことが可能になる。したがって、本発明では、磁性部材の位置調整時に磁性部材を移動させやすくなり、その結果、磁性部材の位置調整がより容易になる。
【００１５】
本発明において、レンズ駆動装置は、光軸方向から見たときの形状が略矩形状となるように形成され、駆動用磁石は、略平板状に形成されるとともに、光軸方向から見たときのレンズ駆動装置の四辺のそれぞれに沿うように配置され、可動体には、４個の外壁部が形成され、４個の外壁部は、レンズ駆動装置の四隅のそれぞれに配置されていることが好ましい。このように構成すると、デッドスペースとなりやすいレンズ駆動装置の四隅に外壁部が配置されるため、光軸方向に直交する方向において、レンズ駆動装置を小型化することが可能になる。
【００１６】
本発明において、バネ部材は、可動体の被写体側に固定される可動体固定部と、固定体に固定される固定体固定部と、可動体固定部と固定体固定部とを繋ぐ腕部とを備え、外壁部の被写体側の端面は、可動体固定部が固定されるバネ固定面となっていることが好ましい。このように構成すると、可動体固定部を固定するための構成を別途、可動体に設ける必要がなくなる。したがって、可動体の構成を簡素化することが可能になる。
【００１７】
本発明において、光軸方向における内壁部および外壁部の高さは、磁性部材の厚みよりも高くなっていることが好ましい。このように構成すると、光軸方向における磁性部材の位置の調整幅を大きくすることが可能になる。
【００１８】
本発明のレンズ駆動装置の調整方法では、たとえば、内壁部と外壁部との間であって、かつ、搭載面と磁性部材との間に接着剤を塗布するとともに、接着剤の厚みによって光軸方向における磁性部材の位置を調整する。この場合には、光軸方向における磁性部材の位置を調整するための部材を設ける必要がなくなるため、レンズ駆動装置の部品点数の増加を防止することが可能になる。
【００１９】
また、本発明のレンズ駆動装置の調整方法では、搭載面と磁性部材との間に非磁性材料からなる平板状の調整部材を配置するとともに、調整部材の枚数によって光軸方向における磁性部材の位置を調整しても良い。この場合には、接着剤によって光軸方向における磁性部材の位置調整を行う場合と比較して、磁性部材の位置調整を精度良く行うことが可能になる。なお、この場合であっても、１種類の調整部材の枚数によって光軸方向における磁性部材の位置を調整すれば、調整部材の管理が煩雑になるといった問題等は生じない。
【発明の効果】
【００２０】
以上のように、本発明のレンズ駆動装置では、バネ部材のバネ特性等がばらついても、使用される部品の在庫管理を簡素化しつつ、容易な調整で始動電流のばらつきを抑制することが可能になる。また、本発明のレンズ駆動装置の調整方法では、接着剤の厚みによって駆動用磁石と磁性部材との距離を調整する場合には、レンズ駆動装置の部品点数の増加を防止することが可能になり、調整部材の枚数によって駆動用磁石と磁性部材との距離を調整する場合には、磁性部材の位置調整を精度良く行うことが可能になる。
【図面の簡単な説明】
【００２１】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図３に示す板バネの平面図である。
【図５】図３に示すスリーブの斜視図である。
【図６】図５に示すスリーブの平面図である。
【図７】図２のＦ部の拡大図である。
【発明を実施するための形態】
【００２２】
以下、図面を参照しながら、本発明の実施の形態を説明する。
【００２３】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図３に示す板バネ５の平面図である。なお、以下の説明では、図１等に示すように、互いに直交する３方向のそれぞれをＸ方向、Ｙ方向およびＺ方向とする。また、Ｘ方向を左右方向、Ｙ方向を前後方向、Ｚ方向を上下方向とする。また、Ｚ１方向側を「上」側、Ｚ２方向側を「下」側とする。
【００２４】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。具体的には、レンズ駆動装置１は、撮影用のレンズの光軸Ｌの方向（光軸方向）から見たときの形状が略正方形状となるように形成されている。また、レンズ駆動装置１の４つの側面は、左右方向または前後方向と略平行になっている。
【００２５】
本形態では、Ｚ方向（上下方向）が光軸方向とほぼ一致している。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２６】
レンズ駆動装置１は、図１、図２に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。また、レンズ駆動装置１は、図２、図３に示すように、可動体２と固定体３とを繋ぐ板バネ５、６を備えている。すなわち、可動体２は、板バネ５、６を介して固定体３に移動可能に保持されている。本形態では、板バネ５が可動体２の上端側に配置され、板バネ６が可動体２の下端側に配置されている。
【００２７】
可動体２は、複数のレンズが固定されたレンズホルダ７を保持するスリーブ８を備えている。固定体３は、レンズ駆動装置１の側面の上端側部分を構成するカバー部材１０と、レンズ駆動装置１の側面の下端側部分およびレンズ駆動装置１の下端面を構成するベース部材１１と、板バネ５の一部が固定されるスペーサ１２とを備えている。スリーブ８の上端側には、軟磁性材料で形成された円環状の磁性部材１３が固定されている。ベース部材１１には、駆動機構４を構成する後述の駆動用コイル２０へ電流を供給するための一対の給電端子１４が固定されている。なお、図３では、レンズホルダ７の図示を省略している。
【００２８】
レンズホルダ７は、略円筒状に形成されている。このレンズホルダ７の内周側には、複数のレンズが固定されている。スリーブ８は、たとえば、樹脂材料で形成されるとともに、略筒状に形成されている。具体的には、スリーブ８は、光軸方向から見たときの内周面の形状が略円形状となり、光軸方向から見たときの外周面の形状が略正方形状となる略筒状に形成されている。このスリーブ８は、その内周側でレンズホルダ７を保持している。スリーブ８の下端には、ベース部材１１に形成される後述の基準面１１ｂに当接して、光軸方向における可動体２の基準位置を決める突起部８ａが下方向へ突出するように形成されている。突起部８ａは、光軸Ｌを略中心とする９０°ピッチで４箇所に形成されている。スリーブ８のより具体的な構成については後述する。
【００２９】
カバー部材１０は、磁性を有する金属材料で形成されている。また、カバー部材１０は、底部１０ａと筒部１０ｂとを有する底付きの略四角筒状に形成されている。上側に配置される底部１０ａの中心には、貫通孔１０ｃが形成されている。このカバー部材１０は、可動体２および駆動機構４の外周側を覆っている。
【００３０】
ベース部材１１は、絶縁性を有する樹脂材料で形成されている。また、ベース部材１１は、光軸方向から見たときの形状が略正方形となるブロック状に形成されている。このベース部材１１は、カバー部材１０の下端側に取り付けられている。ベース部材１１の中心には、貫通孔１１ａが形成されている。また、ベース部材１１の上面には、光軸方向における可動体２の基準位置を決めるための基準面１１ｂが、光軸方向に直交する平面状に形成されている。基準面１１ｂは、光軸Ｌを略中心とする９０°ピッチで４箇所に形成されている。本形態では、スリーブ８の突起部８ａの下端面が基準面１１ｂに当接しているときに、可動体２は、光軸方向の基準位置にある。
【００３１】
スペーサ１２は、たとえば、樹脂材料で形成されるとともに、略正方形の扁平なブロック状に形成されている。また、スペーサ１２は、枠状に形成されており、その中心には、貫通孔が形成されている。このスペーサ１２は、カバー部材１０の底部１０ａの下面に固定されている。スペーサ１２の四隅のそれぞれの下面側には、板バネ５を構成する後述の固定体固定部５ｂが接着固定されている。
【００３２】
板バネ５は、金属材料によって板状に形成されている。この板バネ５は、図４に示すように、スリーブ８の上端側に固定される可動体固定部５ａと、スペーサ１２に固定される４個の固定体固定部５ｂと、可動体固定部５ａと固定体固定部５ｂとを繋ぐ４本の腕部５ｃとを備えている。可動体固定部５ａは、円環状に形成されている。固定体固定部５ｂは、略長方形状に形成されており、可動体固定部５ａよりも外周側に配置されている。また、４個の固定体固定部５ｂのそれぞれは、レンズ駆動装置１の四隅のそれぞれに配置されている。腕部５ｃは、板バネ５の所望のバネ特性を得ることができるように略１／４円弧状に形成されている。本形態の板バネ５は、可動体２と固定体３とを繋ぐバネ部材である。
【００３３】
板バネ５は、その厚み方向と光軸方向とが略一致するように、スリーブ８およびスペーサ１２に固定されている。固定体固定部５ｂは、可動体２の可動範囲において、可動体固定部５ａよりも下側に配置されており、板バネ５は、腕部５ｃが常時、撓んでいる状態で、スリーブ８およびスペーサ１２に固定されている。そのため、可動体２は、板バネ５の付勢力によって、常時、下方向へ付勢されている。すなわち、可動体２は、板バネ５の付勢力によって、スリーブ８の突起部８ａの下端面がベース部材１１の基準面１１ｂに当接する可動体２の光軸方向の基準位置に向かって付勢されている。
【００３４】
板バネ６は、互いに電気的に分離された２個のバネ片１５によって構成されている。バネ片１５は、導電性を有する金属材料によって板状に形成されている。バネ片１５は、スリーブ８の下端側に固定される可動体固定部と、ベース部材１１に固定される２個の固定体固定部と、可動体固定部と固定体固定部とを繋ぐ２本の腕部とを備えている。バネ片１５には、駆動機構４を構成する後述の駆動用コイル２０の端部が電気的に接続されている。バネ片１５は、その厚み方向と光軸方向とが略一致するように、スリーブ８およびベース部材１１に固定されている。また、バネ片１５は、後述の駆動用コイル２０に電流が供給されていないときに、バネ片１５による可動体２の付勢力が生じないように、スリーブ８およびベース部材１１に固定されている。
【００３５】
給電端子１４は、導電性を有する金属材料によって形成されている。２個の給電端子１４のうちの一方の給電端子１４には、２個のバネ片１５の一方が電気的に接続され、他方の給電端子１４には、他方のバネ片１５が電気的に接続されている。給電端子１４は、ベース部材１１に固定されている。
【００３６】
駆動機構４は、スリーブ８の外周側に巻回される駆動用コイル２０と、レンズ駆動装置１の４つの側面のそれぞれに沿って配置される駆動用磁石２１とを備えている。駆動用コイル２０は、スリーブ８の外周面に巻回されており、スリーブ８に固定されている。駆動用磁石２１は、略矩形の平板状に形成されている。この駆動用磁石２１は、前後方向または左右方向において駆動用コイル２０の外周面と対向するようにカバー部材１０の筒部１０ｂの内側面に固定されている。すなわち、駆動用磁石２１は、上下方向から見たときのレンズ駆動装置１の四辺のそれぞれに沿うように配置されている。本形態のカバー部材１０は、磁気回路を形成するためのヨークの機能を果たしている。
【００３７】
（スリーブの構成および磁性部材の配置等）
図５は、図３に示すスリーブ８の斜視図である。図６は、図５に示すスリーブ８の平面図である。図７は、図２のＦ部の拡大図である。
【００３８】
スリーブ８の外周側には、径方向の外側へ突出する鍔部８ｂが形成されている。鍔部８ｂは、スリーブ８の上端側および下端側の２箇所に形成されている。２個の鍔部８ｂ間には、駆動用コイル２０が巻回されている。スリーブ８の上端側には、磁性部材１３を搭載するための搭載面８ｃが形成されている。搭載面８ｃは、レンズを囲むように略円環状に形成されている。この搭載面８ｃは、光軸方向に略直交する平面状に形成されている。また、搭載面８ｃは、上端側に形成される鍔部８ｂの上面よりも上側に形成されている。また、搭載面８ｃは、可動体２の可動範囲において、常に、駆動用磁石２１よりも上側に配置されている。
【００３９】
また、スリーブ８の上端側には、搭載面８ｃの内周側から上側に向かって立ち上る内壁部８ｄが形成されている。内壁部８ｄは、光軸Ｌを軸中心とする略円筒状に形成されている。内壁部８ｄの内周面は、スリーブ８の内周面の一部を構成している。なお、内壁部８ｄの前後方向の両端側と左右方向の一端側には、内壁部８ｄの上端から下側に向かって略矩形状に切り欠かれた切欠部８ｅが形成されている。
【００４０】
さらに、スリーブ８の上端側には、搭載面８ｃの外周側から上側に向かって立ち上る複数の外壁部８ｆが形成されている。本形態では、４個の外壁部８ｆがスリーブ８の上端側に形成されている。外壁部８ｆは、光軸Ｌを曲率中心とする略円弧状の曲面状に形成されており、４個の外壁部８ｆは、光軸Ｌを中心にして略９０°ピッチで形成されている。すなわち、レンズの周方向（スリーブ８の周方向）において、４個の外壁部８ｆの間には、隙間Ｓが形成されている。また、４個の外壁部８ｆは、光軸方向から見たときの外周面の形状が略正方形状となるスリーブ８の四隅のそれぞれに形成されており、レンズ駆動装置１の四隅のそれぞれに配置されている。外壁部８ｆの上端面は、図７に示すように、板バネ５の可動体固定部５ａが接着固定されるバネ固定面８ｇとなっている。
【００４１】
上下方向における内壁部８ｄの高さは、外壁部８ｆの高さよりも高くなっている。また、上下方向における内壁部８ｄおよび外壁部８ｆの高さは、磁性部材１３の厚みよりも高くなっている。また、レンズの径方向（スリーブ８の径方向）における内壁部８ｄの外周面と外壁部８ｆの内周面との距離は、磁性部材１３の幅よりも広くなっている。
【００４２】
磁性部材１３は、搭載面８ｃに直接、あるいは、後述の接着剤２４を介して固定されている。また、上述のように、搭載面８ｃは、可動体２の可動範囲において、常に、駆動用磁石２１よりも上側に配置されている。すなわち、磁性部材１３は、駆動用磁石２１よりも上側でスリーブ８に固定されている。そのため、磁性部材１３と駆動用磁石２１との間に生じる磁気的吸引力によって、可動体２は、常時、下方向へ付勢されている。すなわち、磁性部材１３と駆動用磁石２１との間の磁気的吸引力によって、可動体２は、スリーブ８の突起部８ａの下端面がベース部材１１の基準面１１ｂに当接する可動体２の光軸方向の基準位置に向かって付勢されている。また、上述のように、板バネ５の付勢力によっても、可動体２は、光軸方向の基準位置に向かって付勢されている。すなわち、可動体２は、板バネ５の付勢力と、磁性部材１３と駆動用磁石２１との間の磁気的吸引力とによって、光軸方向の基準位置に向かって付勢されている。
【００４３】
本形態では、板バネ５のバネ特性、駆動用磁石２１の磁力あるいはスリーブ８の寸法等にばらつきが生じて、光軸方向の基準位置に向かう可動体２の付勢力がばらついても、この付勢力を調整して、この付勢力のばらつきを抑制するため、レンズ駆動装置１の組立時に、光軸方向における磁性部材１３の固定位置を調整して、磁性部材１３と駆動用磁石２１との距離を調整することで、磁性部材１３と駆動用磁石２１との間の磁気的吸引力を調整している。具体的には、レンズ駆動装置１の組立時に、内壁部８ｄと外壁部８ｆとの間であって、かつ、磁性部材１３と搭載面８ｃとの間に塗布される接着剤２４（図７（Ｂ）参照）の厚みによって、光軸方向における磁性部材１３の固定位置を調整している。
【００４４】
同じ生産ロットで生産された板バネ５のバネ特性はある程度、安定していると推定され、同じ生産ロッドで生産された駆動用磁石２１の磁力はある程度、安定していると推定され、また、同じ生産ロッドで生産されたスリーブ８の寸法はある程度、安定していると推定される。そのため、本形態では、同じロッドで生産された板バネ５等が用いられる数個のレンズ駆動装置１の可動体２の付勢力を測定して、接着剤２４の厚みを決定するとともに、可動体２の付勢力が測定されたレンズ駆動装置１の板バネ５等と生産ロッドが同じ板バネ５等が用いられるレンズ駆動装置１では、決定された厚みの接着剤２４が内壁部８ｄと外壁部８ｆとの間であって、かつ、磁性部材１３と搭載面８ｃとの間に塗布される。
【００４５】
たとえば、レンズ駆動装置１の組立時に測定された可動体２の付勢力が小さい場合には、磁性部材１３と駆動用磁石２１との距離を短くして、磁性部材１３と駆動用磁石２１との間の磁気的吸引力を強くするため、図７（Ａ）に示すように、磁性部材１３と搭載面８ｃとの間に接着剤２４を塗布しない。すなわち、この場合には、磁性部材１３と搭載面８ｃとの間に塗布される接着剤２４の厚みを０にする。一方、レンズ駆動装置１の組立時に測定された可動体２の付勢力が大きい場合には、磁性部材１３と駆動用磁石２１との距離を長くして、磁性部材１３と駆動用磁石２１との間の磁気的吸引力を弱くするため、図７（Ｂ）に示すように、内壁部８ｄと外壁部８ｆとの間であって、かつ、磁性部材１３と搭載面８ｃとの間に所定の厚みの接着剤２４を塗布する。
【００４６】
なお、レンズ駆動装置１の組立時において、内壁部８ｄと外壁部８ｆとの間であって、かつ、磁性部材１３と搭載面８ｃとの間に接着剤２４が塗布される場合には、塗布された接着剤２４が硬化した後に磁性部材１３が接着剤２４の上面に搭載される。また、その後、内壁部８ｄと外壁部８ｆとの間に接着剤が塗布されて磁性部材１３がスリーブ８に固定される。また、レンズ駆動装置１の組立時において、磁性部材１３と搭載面８ｃとの間に接着剤２４が塗布されない場合には、磁性部材１３が搭載面８ｃに搭載された後、内壁部８ｄと外壁部８ｆとの間に接着剤が塗布されて磁性部材１３がスリーブ８に固定される。
【００４７】
（本形態の主な効果）
以上説明したように、本形態では、スリーブ８の上端側に、磁性部材１３を搭載するための搭載面８ｃと、搭載面８ｃの内周側から上側に向かって立ち上る内壁部８ｄと、搭載面８ｃの外周側から上側に向かって立ち上る複数の外壁部８ｆとが形成されている。また、本形態では、内壁部８ｄと外壁部８ｆとの間であって、かつ、磁性部材１３と搭載面８ｃとの間に塗布される接着剤２４の厚みによって、光軸方向における磁性部材１３の固定位置を調整して、磁性部材１３と駆動用磁石２１との距離を調整することで、磁性部材１３と駆動用磁石２１との間の磁気的吸引力を調整して、光軸方向の基準位置に向かう可動体２の付勢力のばらつきを抑制している。したがって、本形態では、板バネ５のバネ特性等がばらついても、１種類の磁性部材１３を用いて、レンズ駆動装置１の始動電流のばらつきを抑制することが可能になる。すなわち、本形態では、厚みや幅の異なる複数種類の磁性部材１３を準備しなくても、レンズ駆動装置１の始動電流のばらつきを抑制することが可能になり、その結果、レンズ駆動装置１に使用される部品の在庫管理を簡素化しつつ、始動電流のばらつきを抑制することが可能になる。
【００４８】
また、本形態では、円環状に形成される１個の磁性部材１３の光軸方向における位置を調整すれば良いため、磁性部材１３の位置調整が容易になる。したがって、本形態では、板バネ５のバネ特性等がばらついても、始動電流のばらつきの調整が容易になる。また、本形態では、スリーブ８の周方向において、４個の外壁部８ｆの間に隙間Ｓが形成されているため、隙間Ｓを利用してピンセット等で円環状の磁性部材１３を摘みながら磁性部材１３の位置調整を行うことが可能になる。したがって、本形態では、磁性部材１３の位置調整時に磁性部材１３を移動させやすくなる。また、４個の外壁部８ｆの間に隙間Ｓが形成されているため、隙間Ｓを利用して、内壁部８ｄと外壁部８ｆとの間に接着剤２４を塗布しやすくなる。その結果、本形態では、磁性部材１３の位置調整がより容易になる。
【００４９】
本形態では、光軸方向から見たときの形状が略正方形状となるように形成されるレンズ駆動装置１の四隅のそれぞれに４個の外壁部８ｆが配置されている。すなわち、本形態では、デッドスペースとなりやすいレンズ駆動装置１の四隅に外壁部８ｆが配置されている。そのため、本形態では、前後左右方向において、レンズ駆動装置１を小型化することが可能になる。
【００５０】
本形態では、外壁部８ｆの上端面は、板バネ５の可動体固定部５ａが固定されるバネ固定面８ｇとなっている。そのため、本形態では、可動体固定部５ａを固定するための構成を別途、スリーブ８に設ける必要がない。したがって、本形態では、スリーブ８の構成を簡素化することが可能になる。
【００５１】
本形態では、上下方向における内壁部８ｄおよび外壁部８ｆの高さは、磁性部材１３の厚みよりも高くなっている。そのため、本形態では、光軸方向における磁性部材１３の位置の調整幅を大きくすることが可能になる。また、本形態では、内壁部８ｄと外壁部８ｆとによって、内壁部８ｄと外壁部８ｆとの間に塗布される接着剤２４の流出を防止することが可能になる。
【００５２】
本形態では、内壁部８ｄと外壁部８ｆとの間であって、かつ、磁性部材１３と搭載面８ｃとの間に塗布される接着剤２４の厚みによって光軸方向における磁性部材１３の固定位置を調整している。そのため、本形態では、光軸方向における磁性部材１３の固定位置を調整するための部材を設ける必要がない。したがって、本形態では、レンズ駆動装置１の部品点数の増加を防止することができる。
【００５３】
なお、本形態では、４個の外壁部８ｆの間に隙間Ｓが形成されているため、外壁部８ｆが円筒状に形成されている場合と比較して、磁性部材１３と駆動用磁石２１との距離を近づけることが可能になる。したがって、本形態では、磁性部材１３と駆動用磁石２１との磁気的吸引力を高めることが可能になる。また、本形態では、４個の外壁部８ｆは光軸Ｌを中心にして略９０°ピッチで形成されており、４個の外壁部８ｆの間に形成される隙間Ｓも光軸Ｌを中心にして略９０°ピッチで形成されているため、磁性部材１３と駆動用磁石２１との間の磁気的吸引力の、レンズの周方向（スリーブ８の周方向）におけるバランスが良い。したがって、本形態では、光軸方向の基準位置に向かって付勢される可動体２をより安定させることが可能になる。
【００５４】
（他の実施の形態）
上述した形態は、本発明の好適な形態の一例ではあるが、これに限定されるものではなく本発明の要旨を変更しない範囲において種々変形実施が可能である。
【００５５】
上述した形態では、磁性部材１３は、円環状に形成されている。この他にもたとえば、磁性部材１３は、四角環状に形成されても良いし、四角環状以外の多角環状に形成されても良い。また、上述した形態では、搭載面８ｃは、レンズを囲むように略円環状に形成されているが、搭載面８ｃは、たとえば、光軸Ｌを曲率中心とする略円弧状の複数の平面であって、レンズを囲むように配置される複数の平面によって構成されても良い。また、上述した形態では、外壁部８ｆの上端面は、板バネ５の可動体固定部５ａが固定されるバネ固定面８ｇとなっているが、可動体固定部５ａが固定されるバネ固定面が別途、スリーブ８に形成されても良い。
【００５６】
上述した形態では、スリーブ８の上端側に４個の外壁部８ｆが形成されているが、スリーブ８の上端側に形成される外壁部８ｆの数は、２個または３個であっても良いし、５個以上であっても良い。また、上述した形態では、板バネ５は、４本の腕部５ｃを備えているが、板バネ５が備える腕部５ｃの数は、２本または３本であっても良いし、５本以上であっても良い。
【００５７】
上述した形態では、内壁部８ｄと外壁部８ｆとの間であって、かつ、磁性部材１３と搭載面８ｃとの間に塗布される接着剤２４の厚みによって光軸方向における磁性部材１３の固定位置を調整している。この他にもたとえば、搭載面８ｃと磁性部材１３との間に非磁性材料からなる平板状の調整部材を配置するとともに、この調整部材の枚数によって光軸方向における磁性部材１３の固定位置を調整しても良い。この場合には、調整部材は、たとえば、円環状等の環状に形成される。また、この場合には、接着剤２４によって光軸方向における磁性部材１３の固定位置を調整する場合と比較して、磁性部材１３の位置調整を精度良く行うことが可能になる。なお、この場合であっても、１種類の調整部材の枚数によって光軸方向における磁性部材１３の固定位置を調整すれば、調整部材の管理が煩雑になるといった問題等は生じない。
【００５８】
上述した形態では、レンズ駆動装置１は、光軸方向から見たときの形状が略正方形状となるように形成されているが、レンズ駆動装置１は、光軸方向から見たときの形状が略長方形状となるように形成されても良い。また、レンズ駆動装置１は、光軸方向から見たときの形状が略六角形状等の多角形状となるように形成されても良いし、略円形状や略楕円形状となるように形成されても良い。
【符号の説明】
【００５９】
１  レンズ駆動装置
２  可動体
３  固定体
５  板バネ（バネ部材）
５ａ  可動体固定部
５ｂ  固定体固定部
５ｃ  腕部
８ｃ  搭載面
８ｄ  内壁部
８ｆ  外壁部
８ｇ  バネ固定面
１３  磁性部材
２０  駆動用コイル
２１  駆動用磁石
２４  接着剤
Ｌ  光軸
Ｓ  隙間
Ｚ  光軸方向
Ｚ１  被写体側
【図１】
2014010281.tif 000003
【図２】
2014010281.tif 000004
【図３】
2014010281.tif 000005
【図４】
2014010281.tif 000006
【図５】
2014010281.tif 000007
【図６】
2014010281.tif 000008
【図７】
2014010281.tif 000009